(57)【特許請求の範囲】
【請求項１】
底部と、前記底部の周縁から立ち上がる外壁と、を有するタンク本体と、
前記タンク本体を覆うタンクカバーと、を備え、
前記タンク本体は、前記外壁の上方に形成され且つ前記タンク本体の外側に配置された電子部品が取り付けられる座面を有する電子部品取付部を備え、
前記電子部品取付部は、前記タンク本体の外壁が前記タンク本体の内側に窪んで形成され前記電子部品が配置される凹部を有し、
前記凹部は、前記タンク本体の外側から内側に向けて窪む第１凹部と、前記第１凹部から前記タンク本体の内側に向けて窪む第２凹部と、を有し、
前記座面は、前記第１凹部又は／及び前記第２凹部で構成される角部いずれかの上面に形成される便器洗浄タンク。
【請求項２】
底部と、前記底部の周縁から立ち上がる外壁と、を有するタンク本体と、
前記タンク本体を覆うタンクカバーと、を備え、
前記タンク本体は、前記外壁の上方に形成され且つ前記タンク本体の外側に配置された電子部品が取り付けられる座面を有する電子部品取付部を備え、
前記座面には、前記電子部品の上部に形成された取付延出部が掛け渡される便器洗浄タンク。
【請求項３】
前記電子部品取付部は、前記タンク本体の外壁が前記タンク本体の内側に窪んで形成され前記電子部品が配置される凹部を有する請求項２に記載の便器洗浄タンク。
【請求項４】
前記凹部は、前記タンク本体の外側から内側に向けて窪む第１凹部と、前記第１凹部から前記タンク本体の内側に向けて窪む第２凹部と、を有し、
前記座面は、前記第１凹部又は／及び前記第２凹部で構成される角部いずれかの上面に形成される請求項３に記載の便器洗浄タンク。
【請求項５】
前記凹部には、下方に開口が設けられる請求項１、３及び４の何れか１つに記載の便器洗浄タンク。
【請求項６】
前記電子部品は、回転軸部材を有するモータで構成されており、
前記電子部品取付部は、前記外壁の上方部の一部が下方に切り欠かれて形成され前記回転軸部材が配置される切り欠き部を有する請求項１から５までの何れか１つに記載の便器洗浄タンク。
【発明の詳細な説明】
【技術分野】
【０００１】
本発明は、便器洗浄タンクに関する。
【背景技術】
【０００２】
従来、洗浄水が貯留されるタンク本体と、便器の洗浄を駆動するためのモータ（電子部品）と、を備える便器洗浄タンクが知られている（例えば、特許文献１参照）。
特許文献１に記載の便器洗浄タンクにおいては、タンク本体の側面に開口部が設けられており、開口部に対してモータを水平方向に移動させて開口部にモータを挿入することにより、モータをタンク本体に取り付けるように構成されている。
【先行技術文献】
【特許文献】
【０００３】
【特許文献１】特開２０１３−２０９８１２号公報
【発明の概要】
【発明が解決しようとする課題】
【０００４】
特許文献１に記載の便器洗浄タンクにおいては、開口部に対してモータを水平方向に移動させて挿入することにより、モータをタンク本体に取り付ける。そのため、モータを水平方向へ移動させるためのスペースが必要となる。便器洗浄タンクのメンテナンス時において、モータを水平方向へ移動させるためのスペースが少ない場合には、モータ（電子部品）をタンク本体から取り外す作業や、モータ（電子部品）をタンク本体に取り付ける作業が困難であった。
【０００５】
本発明は、便器洗浄タンクへ電子部品を取り付ける作業及び便器洗浄タンクから電子部品を取り外す作業が容易な便器洗浄タンクを提供することを目的とする。
【課題を解決するための手段】
【０００６】
本発明は、底部（例えば、後述の底部９１１）と、前記底部の周縁から立ち上がる外壁（例えば、後述の周壁９１２）と、を有するタンク本体（例えば、後述のタンク本体９１）と、前記タンク本体を覆うタンクカバー（例えば、後述のタンクカバー２０）と、を備え、前記タンク本体は、前記外壁の上方に形成され且つ前記タンク本体の外側に配置された電子部品（例えば、後述のモータ１１ａ）が取り付けられる座面（例えば、後述の座面９５１，９５２）を有する電子部品取付部（例えば、後述のモータ取付部９５０）と、を備える便器洗浄タンクに関する。
【０００７】
また、前記電子部品は、回転軸部材（例えば、後述のモータ回転軸部材１１ｂ）を有するモータで構成されており、前記電子部品取付部は、前記外壁の上方部の一部が下方に切り欠かれて形成され前記回転軸部材が配置される切り欠き部（例えば、後述の第１切り欠き部９４２）を有することが好ましい。
【０００８】
また、前記電子部品取付部は、前記タンク本体の外壁が前記タンク本体の内側に窪んで形成され前記電子部品が配置される凹部（例えば、後述のタンク凹部９１３）を有することが好ましい。
【０００９】
また、前記凹部は、前記タンク本体の外側から内側に向けて窪む第１凹部（例えば、後述の第１凹部９１４）と、前記第１凹部から前記タンク本体の内側に向けて窪む第２凹部（例えば、後述の第２凹部９１５）と、を有し、前記座面は、前記第１凹部又は／及び前記第２凹部で構成される角部いずれかの上面に形成されることが好ましい。
【００１０】
また、前記凹部には、下方に開口（例えば、後述の開口９１０）が設けられることが好ましい。
【発明の効果】
【００１１】
本発明によれば、便器洗浄タンクへ電子部品を取り付ける作業及び便器洗浄タンクから電子部品を取り外す作業が容易な便器洗浄タンクを提供することができる。
【図面の簡単な説明】
【００１２】
【図１】本発明の一実施形態に係る便器装置１を示す斜視図である。
【図２】本実施形態に係る便器洗浄タンク４において、タンクカバー２０を取り外した状態を示す斜視図である。
【図３】本実施形態に係る便器洗浄タンク４において、タンク本体９１、タンク蓋部９２及びモータ１１ａの取り付け状態を示す斜視図である。
【図４】本実施形態に係る便器洗浄タンク９のタンク本体９１を上方側から視た図である。
【図５】本実施形態に係る便器洗浄タンク９のタンク本体９１を側方側から視た図である。
【発明を実施するための形態】
【００１３】
以下、本発明の便器装置１の一実施形態について、図面を参照しながら説明する。以下の説明においては、便器装置１の便座（図示せず）に座った人から視た場合の前後の向きを前後方向とする。また、便器装置１の便座（図示せず）に座った人から視た場合の左右の向きを左右方向とする。また、鉛直方向に沿った上下の向きを上下方向とする。
【００１４】
本実施形態の便器装置１は、図１及び図２に示すように、便器洗浄装置８と、便器２と、便座（図示せず）と、便蓋２ｂと、を備える。便器洗浄装置８は、便器洗浄タンク９と、ベースプレート１０と、を備える。
便器洗浄タンク９は、タンクカバー２０と、タンク蓋部９２と、タンク本体９１と、洗浄駆動ユニット１１と、を備える。
【００１５】
便器２は、便器本体２ａを備える。
便座（図示せず）及び便蓋２ｂは、便器本体２ａの上部に、便器本体２ａに対して回動可能に取り付けられる。
【００１６】
ベースプレート１０は、便器本体２ａの後方の上面に取り付けられる。ベースプレート１０の上方には、タンク本体９１が配置される。
【００１７】
タンクカバー２０は、図１に示すように、タンク本体９１及びタンク蓋部９２を覆うように、タンク本体９１及びタンク蓋部９２に被せられる。タンクカバー２０は、上部カバー部２１と、下部カバー部２２と、を有する。上部カバー部２１及び下部カバー部２２は、例えば、樹脂材料により形成される。なお、上部カバー部２１及び下部カバー部２２を、樹脂材料により形成したが、これに限定されず、陶器で形成してもよい。
【００１８】
上部カバー部２１は、タンクカバー２０の上部を構成し、便器洗浄タンク９の上部を塞ぐように形成される。上部カバー部２１には、手洗い部１８が設けられている。上部カバー部２１は、下部カバー部２２に対して着脱可能に構成される。
下部カバー部２２は、タンクカバー２０の下部を構成する。下部カバー部２２は、筒状に形成され、タンク本体９１の周囲を囲むように形成される。
【００１９】
手洗い部１８は、図１に示すように、タンクカバー２０の上部カバー部２１に設けられている。手洗い部１８は、手洗いボウル部１８ａと、手洗い吐水部１８ｂと、を備える。
【００２０】
手洗いボウル部１８ａは、タンクカバー２０における上部カバー部２１（後述）の一部により構成される。手洗いボウル部１８ａは、手洗い吐水部１８ｂから吐出される手洗い水を受ける。この手洗いボウル部１８ａの底部には、排水口（図示せず）が形成されている。
【００２１】
手洗い吐水部１８ｂは、手洗いボウル部１８ａの背部側の前面から前方に突出するように配置される。この手洗い吐水部１８ｂの先端部は、下方に開口している。
【００２２】
以上の手洗い部１８には、タンク本体９１に供給される洗浄水の一部が、手洗い側流路部５１３（図２参照）を介して手洗い吐水部１８ｂに供給される。これにより、給水部（図示せず）の動作によりタンク本体９１に洗浄水が貯留される場合に、この貯留される洗浄水の一部が手洗い吐水部１８ｂから吐出される。
また、手洗い部１８から排出される排水は、手洗い側排水管（図示せず）を介してタンク本体９１に排出される。
【００２３】
タンク本体９１は、ベースプレート１０の上方において、便器２の後方かつ上方に配置され、便器本体２ａを洗浄する洗浄水を貯留する。タンク本体９１は、便器洗浄タンク９に内装される。タンク本体９１の上部には、タンク蓋部９２が配置されている。タンク本体９１及びタンク蓋部９２は、タンクカバー２０に覆われている。
【００２４】
タンク本体９１は、洗浄水を貯留する。タンク本体９１は、図２及び図３に示すように、便器洗浄タンク９の左右方向に長く形成される。タンク本体９１は、上面が開口して形成され、底部９１１と、底部９１１の周縁から立ち上がり周囲を囲むように形成される周壁９１２と、を備える。周壁９１２は、タンク本体９１の外壁を構成する。
【００２５】
タンク本体９１の下部には、フラッパー弁（図示せず）により開閉される排水口９１１ａ（図４参照）が形成されている。フラッパー弁を引き上げて排水口９１１ａを開放することにより、タンク本体９１の内部に貯留された洗浄水が排水口９１１ａから流出して便器本体２ａに供給され、便器本体２ａが洗浄される。フラッパー弁には、玉鎖（図示せず）を介して洗浄駆動ユニット１１に接続されており、例えば、操作ボタンの操作により、洗浄駆動ユニット１１が駆動されて、フラッパー弁は、開閉される。
【００２６】
洗浄駆動ユニット１１は、便器２の洗浄時に駆動する。洗浄駆動ユニット１１は、モータ回転軸部材１１ｂを有するモータ１１ａ（電子部品）を備える。モータ１１ａは、後述するモータ収容部９６０（電子部品収容部）に収容される。
【００２７】
タンク本体９１は、図３及び図４に示すように、タンク本体９１の一端部（図４における左側）から他方側（図４における右側）に窪むタンク凹部９１３（凹部）を有する。タンク凹部９１３は、タンク本体９１の上下方向の全域に亘って連通しており、下方に開口９１０が設けられている。つまり、タンク凹部９１３は、タンク本体９１の外壁の外側において、タンク本体９１を上下方向に貫通して形成される。
【００２８】
タンク凹部９１３は、図３及び図４に示すように、タンク本体９１の左右方向の一方側（図４における左側）において、タンク本体９１の前後方向の略中央に形成される。タンク凹部９１３は、タンク本体９１の周壁９１２（外壁）がタンク本体９１の内側に窪んで形成される。タンク凹部９１３には、モータ１１ａ（電子部品）が配置される。タンク凹部９１３は、図４に示すように、平面視で、段差状に形成され、第１凹部９１４と、第２凹部９１５と、を有する。
【００２９】
第１凹部９１４及び第２凹部９１５は、タンク本体９１の左右方向の一方側（図４における左側）において、左右方向に並んで配置される。第２凹部９１５は、タンク本体９１の前後方向において、第１凹部９１４の内側であって、第１凹部９１４の中央に配置される。第２凹部９１５は、タンク本体９１の左右方向において、第１凹部９１４よりも、タンク本体９１の内側に配置される。
【００３０】
具体的には、第１凹部９１４は、タンク本体９１の左右方向の一方側（図４における左側）において、タンク本体９１の外側に配置される。第１凹部９１４は、タンク本体９１の外側から内側に向けて窪む。
第２凹部９１５は、タンク本体９１の左右方向の一方側（図４における左側）において、第１凹部９１４よりもタンク本体９１の内側に配置される。第２凹部９１５は、第１凹部９１４からタンク本体９１の内側に向けて窪む。第２凹部９１５におけるタンク本体９１の前後方向の長さは、第１凹部９１４におけるタンク本体９１の前後方向の長さよりも短い。
【００３１】
第１凹部９１４及び第２凹部９１５は、第１段差壁部９２０と、第２段差壁部９３０と、接続壁部９４０と、により構成されている。第１段差壁部９２０、第２段差壁部９３０及び接続壁部９４０は、タンク本体９１の周壁９１２の一部で構成される。
第１段差壁部９２０及び第２段差壁部９３０は、タンク本体９１の前後方向に離間して配置され、前後において対称な形状に形成される。第１段差壁部９２０及び第２段差壁部９３０は、対向して配置され、タンク本体９１の外壁における対向壁部を構成する。
【００３２】
第１段差壁部９２０は、図４に示すように、タンク本体９１の前後方向の前方側に配置される。第１段差壁部９２０は、平面視において、タンク本体９１の左右方向に延びる第１１壁部９２１と、第１１壁部９２１の他方側（図４における右側）の端部から前後方向の後方側に延びる第１２壁部９２２と、第１２壁部９２２の後方側の端部から左右方向の他方側（図４における右側）に延びる第１３壁部９２３と、を有する。
【００３３】
第２段差壁部９３０は、図４に示すように、タンク本体４１の前後方向の後方側に配置される。第２段差壁部９３０は、タンク本体４１の前後方向において、第１段差壁部９２０に対向して配置される。第２段差壁部９３０は、平面視において、タンク本体４１の左右方向に延びる第２１壁部９３１と、第２１壁部９３１の他方側（図４における右側）の端部から前後方向の前方側に延びる第２２壁部９３２と、第２２壁部９３２の前方側の端部から左右方向の他方側（図４における右側）に延びる第２３壁部９３３と、を有する。
【００３４】
接続壁部９４０は、第１段差壁部９２０におけるタンク本体４１の左右方向の他方側（右側）の端部と、第２段差壁部９３０におけるタンク本体４１の左右方向の他方側（右側）の端部とを前後方向につないで形成される。接続壁部９４０は、タンク本体４１の前後方向及び上下方向に沿う方向に延びる。
【００３５】
接続壁部９４０には、図５に示すように、上部において、切り欠き部９４１が形成される。切り欠き部９４１は、タンク本体４１の外壁である周壁９１２の上方部の一部が下方に切り欠かれて形成される。切り欠き部９４１は、第１切り欠き部９４２と、第２切り欠き部９４３と、を有する。第１切り欠き部９４２及び第２切り欠き部９４３は、タンク本体４１の前後方向に並んで配置される。第１切り欠き部９４２は、第２切り欠き部９４３よりも下方に深く切り欠かれている。第１切り欠き部９４２には、モータ１１ａの回転軸部材１１ｂが配置される。第２切り欠き部９４３には、モータ１１ａの側面の一部が配置される。
第１切り欠き部９４２及び第２切り欠き部９４３は、後述するモータ取付部９５０（電子部品取付部）の一部を構成する。
【００３６】
第１段差壁部９２０及び第２段差壁部９３０は、タンク本体９１の外壁における対向する一対の対向壁部を構成し、モータ１１ａ（電子部品）を収容する電子部品収容部としてのモータ収容部９６０を構成する。モータ収容部９６０には、洗浄駆動ユニット１１のモータ１１ａが収容される。モータ収容部９６０は、タンク本体９１の外壁である周壁９１２により形成される。モータ収容部９６０には、下方に開口９１０が設けられており、タンク本体９１の周壁９１２（外壁）の外側において、タンク本体９１を上下方向に貫通して形成される。モータ１１ａは、モータ取付部９５０の座面９５１，９５２（後述）に取り付けられた状態で、モータ収容部９６０に収容される。
【００３７】
モータ収容部９６０には、洗浄駆動ユニット１１のモータ１１ａが配置される。
モータ１１ａには、図３に示すように、モータ回転軸部材１１ｂがモータ１１ａを左右方向に貫通して配置されている。モータ１１ａには、上部において、一対の取付延出部１２１，１２２が形成されている。取付延出部１２１，１２２は、モータ回転軸部材１１ｂが延びる方向に直交する方向に沿って、同一直線上に沿って配置され、モータ１１ａの前後方向の外側の両方に延出する。モータ１１ａの取付延出部１２１，１２２は、後述する座面９５１，９５２に掛け渡される。取付延出部１２１，１２２には、モータ側取付貫通穴１２１ａ、１２２ａが形成されている。
【００３８】
タンク本体９１は、モータ１１ａをタンク本体９１に取り付けるための構造として、図４に示すように、モータ取付部９５０（電子部品取付部）を有する。モータ１１ａは、モータ収容部９６０に配置された状態で、モータ取付部９５０に取り付けられる。
【００３９】
モータ取付部９５０は、図３に示すように、座面９５１，９５２と、切り欠き部９４１と、を有する。
座面９５１，９５２は、周壁９１２の上方であって上面に形成される。座面９５１，９５２には、タンク本体９１の外側に配置されたモータ１１ａが取り付けられる。座面９５１，９５２は、第１凹部９１４の角部の上面に形成される。
【００４０】
具体的には、タンク本体９１の前後方向の前方側の座面９５１は、図４に示すように、第１段差壁部９２０の第１１壁部９２１及び第１２壁部９２２で構成される角部の上面に形成される。座面９５１には、座面９５１から下方に延びる座面側ねじ穴９５１ａが形成される。
タンク本体９１の前後方向の後方側の座面９５２は、第２段差壁部９３０の第２１壁部９３１及び第２２壁部９３２で構成される角部の上面に形成される。座面９５２には、座面９５２から下方に延びる座面側ねじ穴９５２ａが形成される。
【００４１】
切り欠き部９４１は、周壁９１２の上方部の一部が下方に切り欠かれて形成される。
切り欠き部９４１は、接続壁部９４０における第１切り欠き部９４２及び第２切り欠き部９４３により構成される。第１切り欠き部９４２は、第２切り欠き部９４３よりも下方に深く切り欠かれている。第１切り欠き部９４２には、モータ１１ａの回転軸部材１１ｂが配置される。第２切り欠き部９４３には、モータ１１ａの側面の一部が配置される。
【００４２】
また、タンク本体９１に蓋部（図示せず）を取り付けるための構造として、図３に示すように、タンク本体９１の上面には、複数のタンク本体側係合部９０１が形成されている。複数のタンク本体側係合部９０１は、蓋部（図示せず）に係合する。
【００４３】
以上のように構成されるタンク本体９１において、図３を参照して説明すると、モータ１１ａは、次のように、タンク本体９１に取り付けられる。
【００４４】
具体的には、モータ１１ａをモータ収容部９６０に配置した状態で、モータ１１ａをモータ取付部９５０に取り付ける。詳細には、モータ１１ａの回転軸部材１１ｂを第１切り欠き部９４２に配置して、モータ１１ａの取付延出部１２１，１２２を座面９５１，９５２に配置した状態で、ねじ部材１０４，１０５で、モータ１１ａをタンク本体９１に取り付ける。
【００４５】
モータ１１ａの一方の取付延出部１２１においては、上方側からねじ部材１０４をモータ側取付貫通穴１２１ａに挿入することで、モータ側取付貫通穴１２１ａの周縁にねじ部材１０４の頭部が係止された状態で、ねじ部材１０４の先端側のねじ部分が座面側ねじ穴９５１ａに螺合される。
また、モータ１１ａの他方の取付延出部１２２においては、上方側からねじ部材１０５をモータ側取付貫通穴１２２ａに挿入することで、モータ側取付貫通穴１２２ａの周縁にねじ部材１０５の頭部が係止された状態で、ねじ部材１０５の先端側のねじ部分が座面側ねじ穴９５２ａに螺合される。
このようにして、モータ１１ａをタンク本体９１に容易に取り付けることができる。
また、モータ１１ａをタンク本体９１から取り外す場合には、ねじ部材１０４，１０５を取り外すことで、モータ１１ａをタンク本体９１から容易に取り外すことができる。
【００４６】
以上説明した本実施形態の便器洗浄タンク９によれば、以下のような効果を奏する。
本実施形態の便器洗浄タンク９は、底部９１１と、底部９１１の周縁から立ち上がる外壁９１２と、を有するタンク本体９１と、タンク本体９１を覆うタンクカバー２０と、を備え、タンク本体９１は、外壁９１２の上方に形成され且つタンク本体９１の外側に配置された電子部品１１ａが取り付けられる座面９５１，９５２を有する電子部品取付部９５０と、を備える。
そのため、タンク本体９１の上方において、モータ１１ａを取り付けることができる。これにより、モータ１１ａを水平方向に移動させるスペースが少ない場合でも、モータ１１ａをタンク本体９１に容易に取り付けることができる。
また、ねじ部材１０４，１０５で固定する場合に、上方からねじ部材を移動させるだけで、モータ１１ａをタンク本体９１に容易に固定することができる。
よって、水平方向に移動させる作業スペースが少なくても、モータ１１ａをタンク本体９１に取り付けることができるため、モータ１１ａをタンク本体９１に取り付ける作業性を向上できる。
【００４７】
また、本実施形態においては、電子部品１１ａは、回転軸部材１１ｂを有するモータ１１ａで構成されており、電子部品取付部９５０は、外壁９１２の上方部の一部が下方に切り欠かれて形成され回転軸部材１１ｂが配置される第１切り欠き部９４２を有する。これにより、モータ１１ａの回転軸部材１１ｂを第１切り欠き部９４２に配置することで、モータ１１ａの回転軸部材１１ｂを安定して回転するように、モータ１１ａを安定して支持できる。
【００４８】
また、本実施形態においては、電子部品取付部９５０は、タンク本体９１の外壁９１２がタンク本体９１の内側に窪んで形成されモータ１１ａが配置されるタンク凹部９１３を有する。これにより、モータ１１ａを高い位置に設置しなくてよいため、タンク本体９１の高さを低くすることができる。また、モータ１１ａをタンク本体９１の外部に配置できるため、モータの水没を抑制できる。また、モータ１１ａをモータ取付部９５０に取り付ける際に、タンク凹部９１３によりモータをガイドさせることができる。これにより、モータ１１ａを取り付ける作業性を向上できる。
【００４９】
また、本実施形態においては、タンク凹部９１３は、タンク本体９１の外側から内側に向けて窪む第１凹部９１４と、第１凹部９１４からタンク本体９１の内側に向けて窪む第２凹部９１５と、を有し、座面９５１，９５２は、第１凹部９１４で構成される角部の上面に形成される。座面９５１，９５２が第１凹部９１４の角部の上面に形成されるため、座面９５１，９５２の強度を向上できる。これにより、モータ１１ａを安定した状態で座面９５１，９５２に固定できる。
【００５０】
また、本実施形態においては、タンク凹部９１３には、下方に開口９１０が設けられる。これにより、モータ取付部９５０の下方に、水が溜まることがない。そのため、モータ１１ａの水没を一層抑制できる。
【００５１】
以上、本発明の便器洗浄タンク９の好ましい実施形態について説明したが、本発明は、上述した実施形態に制限されるものではなく、適宜変更が可能である。
前記実施形態では、座面９５１，９５２を、第１凹部９１４で構成される角部の上面に形成したが、これに限定されない。例えば、座面を、第２凹部９１５で構成される角部の上面に形成してもよいし、第１凹部９１４及び第２凹部９１５に跨った部分で構成される角部の上面に形成してもよい。
【符号の説明】
【００５２】
９  便器洗浄タンク
２０  タンクカバー
９１  タンク本体
１１ａ  モータ（電子部品）
１１ｂ  モータ回転軸部材（回転軸部材）
９１０  開口
９１１  底部
９１２  周壁（外壁）
９１３  タンク凹部（凹部）
９１４  第１凹部
９１５  第２凹部
９４２  第１切り欠き部（切り欠き部）
９５０  モータ取付部（電子部品取付部）
９５１  座面
９５２  座面
【図１】
0006760730.tif 000002
【図２】
0006760730.tif 000003
【図３】
0006760730.tif 000004
【図４】
0006760730.tif 000005
【図５】
0006760730.tif 000006